(57)【要約】      （修正有）【課題】釘を打ち込みし易い金属ハンマーを提供する。【解決手段】ハンマーヘッド１とハンマーハンドル２を含み、ハンマーヘッド１の片方に一つのエンボス１０１があり、エンボス１０１はハンマーヘッド１と一体にして、エンボス１０１の上に一つのゴムブロック３が、エンボス１０１に設けられたスナップに固定され、ハンマーヘッド１のもう片方に一つのネジ穴があり、ハンマーハンドル２はネジ穴にねじ込まれ、ハンマーハンドル２のハンマーヘッド１と離れた側に一つの凹面穴２０１が設置され、その凹面穴２０１の底に第一ネジ穴２０２が設置され、第一ネジ穴２０２は凹面穴２０１と同心円状に配置され、凹面穴２０１内に一つの中空の管状部材４があり、管状部材４は円形の穴を持ち、管状部材４のもう片方は一つのＴ字型打撃ブロック５と連携し、打撃ブロック５の前部は円形の穴を通過して、第一ネジ穴２０２の内部にネジ連結で固定される。【選択図】図１
0003192123.tif 000002
【実用新案登録請求の範囲】
【請求項１】
金属ハンマーであり、その特徴は：ハンマーヘッドとハンマーハンドルを含み、前述したハンマーヘッドの片方に一つのエンボスがあり、このエンボスはハンマーヘッドと一体にして、このエンボスの上に一つのゴムブロックがスナップに固定され、前述したハンマーヘッドのもう片方に一つのネジ穴があり、前述したハンマーハンドルはネジ穴にねじ込まれ、前述したハンマーハンドルのハンマーヘッドと離れた側に一つの凹面穴が設置され、その凹面穴の底に第一ネジ穴が設置され、第一ネジ穴は凹面穴と同心円状に配置され、前述した凹面穴内に一つの中空の管状部材があり、管状部材は円形の穴を持ち、前述した管状部材のもう片方は一つのT字型打撃ブロックと連携し、前述した打撃ブロックの前部は前述した円形の穴を通過して、第一ネジ穴の内部にネジ連結で固定され、前述した打撃ブロックは第一ネジ穴と連携した場合、打撃ブロックの後部は管状部材と当たることを特徴とする金属ハンマー。
【請求項２】
請求項１に記載の金属ハンマーにおいて、その特徴は：前述したハンマーヘッドの片方に釘を抜き出す爪部があり、反対側に打撃部があることを特徴とする金属ハンマー。
【請求項３】
請求項１に記載の金属ハンマーにおいて、その特徴は：前述したハンマーハンドルの外部にゴムカバーを設置され、ゴムカバーの表面にローレット加工されていることを特徴とする金属ハンマー。
【請求項４】
請求項１に記載の金属ハンマーにおいて、その特徴は：前述した打撃ブロックの第一ネジ穴と離れた側の直径は管状部材の外直径より大きいことを特徴とする金属ハンマー。
【考案の詳細な説明】
【技術分野】
【０００１】
本実用新案はある種の釘を打ち込みし易い金属ハンマーに関わる。
【背景技術】
【０００２】
既存の金属ハンマーで釘を打ち込む際、通常、手で釘を持って、一定な深さまで打ち込んだ後に手を離す。ミスした場合、手が打たれて、怪我になることが良く発生し、実用性が低い。既存の釘を打ち込みし易い金属ハンマーは主にハンマーヘッドに釘をセットする穴を設置し、この様な金属ハンマーは釘を予定場所に置くことができなく、打ち込む位置の誤差が大きい。
【考案の概要】
【考案が解決しようとする課題】
【０００３】
本実用新案の解決したい技術課題とはある種の釘を打ち込みし易い金属ハンマーを提供することである。本装置は釘の打ち込みに便利で、正確に釘の位置をロックでき、釘打ち込みの歪みを防ぐ。
【課題を解決するための手段】
【０００４】
上述した課題を解決する為、本実用新案は以下の技術案を採用する：
ある種の釘を打ち込みし易い金属ハンマーであり、ハンマーヘッドとハンマーハンドルを含み、前述したハンマーヘッドの片方に一つのエンボスがあり、このエンボスはハンマーヘッドと一体にして、このエンボスの上に一つのゴムブロックがスナップに固定され、前述したハンマーヘッドのもう片方に一つのネジ穴があり、前述したハンマーハンドルはネジ穴にねじ込まれ、前述したハンマーハンドルのハンマーヘッドと離れた側に一つの凹面穴が設置され、その凹面穴の底に第一ネジ穴が設置され、第一ネジ穴は凹面穴と同心円状に配置され、前述した凹面穴内に一つの中空の管状部材があり、管状部材は円形の穴を持ち、前述した管状部材のもう片方は一つのT字型打撃ブロックと連携し、前述した打撃ブロックの前部は前述した円形の穴を通過して、第一ネジ穴の内部にネジ連結で固定され、前述した打撃ブロックは第一ネジ穴と連携した場合、打撃ブロックの後部は管状部材と当たる。
【０００５】
最適な技術案として、前述したハンマーヘッドの片方に釘を抜き出す爪部があり、反対側に打撃部がある。
【０００６】
最適な技術案として、前述したハンマーハンドルの外部にゴムカバーを設置され、ゴムカバーの表面にローレット加工がある。
【０００７】
最適な技術案として、前述した打撃ブロックの第一ネジ穴と離れた側の直径は管状部材の外直径より大きい。
【考案の効果】
【０００８】
本実用新案の有益な効果は：釘を打ち込む際、釘を管状部材の円形の穴に入れて、円形の穴を打ち込む予定の場所に位置合わせをして、打撃ブロックを円形の穴に挿入して、ハンマーヘッドで打撃ブロックを打つだけで作業を完成できる。効果的に手を怪我することを防げ、同時に正確に釘の位置をロックでき、釘打ち込みの歪みを防ぐ。
【図面の簡単な説明】
【０００９】
【図１】本実用新案の構造図である。
【図２】冷却カバーの使用状態図である。
【考案を実施するための形態】
【００１０】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１１】
図1と図２に示されたある種の釘を打ち込みし易い金属ハンマーを参照して、ハンマーヘッド１とハンマーハンドル２を含み、前述したハンマーヘッド２の片方に一つのエンボス101があり、このエンボス101はハンマーヘッド１と一体にして、このエンボス101の上に一つのゴムブロック３がスナップに固定され、前述したハンマーヘッド１のもう片方に一つのネジ穴（図に示されなかった）があり、前述したハンマーハンドル２はネジ穴にねじ込まれ、前述したハンマーハンドル２のハンマーヘッド１と離れた側に一つの凹面穴201が設置され、その凹面穴201の底に第一ネジ穴202が設置され、第一ネジ穴202は凹面穴201と同心円状に配置され、前述した凹面穴201内に一つの中空の管状部材４があり、管状部材４は円形の穴401を持ち、前述した管状部材４のもう片方は一つのT字型打撃ブロック５と連携し、前述した打撃ブロック５の前部は前述した円形の穴401を通過して、第一ネジ穴201の内部にネジ連結で固定され、前述した打撃ブロック５は第一ネジ穴201と連携した場合、打撃ブロック５の後部は管状部材４と当たる。
【００１２】
最適な技術案として、前述したハンマーヘッド１の片方に釘を抜き出す爪部102があり、反対側に打撃部103がある。
【００１３】
最適な技術案として、前述したハンマーハンドル２の外部にゴムカバー６を設置され、ゴムカバー６の表面にローレット加工がある。
【００１４】
最適な技術案として、前述した打撃ブロック５の第一ネジ穴202と離れた側の直径は管状部材４の外直径より大きい。
【００１５】
本実用新案の有益な効果は：釘を打ち込む際、釘を管状部材の円形の穴に入れて、円形の穴を打ち込む予定の場所に位置合わせをして、打撃ブロックを円形の穴に挿入して、ハンマーヘッドで打撃ブロックを打つだけで作業を完成できる。効果的に手を怪我することを防げ、同時に正確に釘の位置をロックでき、釘打ち込みの歪みを防ぐ。
【００１６】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した権利要求書及び同等物によって定義される。
【符号の説明】
【００１７】
１  ハンマーヘッド
２  ハンマーハンドル
３  ゴムブロック
４  管状部材
５  打撃ブロック
101  エンボス
201  凹面穴
202  第一ネジ穴
401  円形の穴
【図１】
0003192123.tif 000003
【図２】
0003192123.tif 000004
【手続補正書】
【提出日】平成26年6月4日(2014.6.4)
【手続補正１】
【補正対象書類名】実用新案登録請求の範囲
【補正対象項目名】請求項１
【補正方法】変更
【補正の内容】
【請求項１】
金属ハンマーであり、その特徴は：ハンマーヘッドとハンマーハンドルを含み、前述したハンマーヘッドの片方に一つのエンボスがあり、このエンボスはハンマーヘッドと一体にして、このエンボスの上に一つのゴムブロックが、当該エンボスに設けられたスナップに固定され、前述したハンマーヘッドのもう片方に一つのネジ穴があり、前述したハンマーハンドルはネジ穴にねじ込まれ、前述したハンマーハンドルのハンマーヘッドと離れた側に一つの凹面穴が設置され、その凹面穴の底に第一ネジ穴が設置され、第一ネジ穴は凹面穴と同心円状に配置され、前述した凹面穴内に一つの中空の管状部材があり、管状部材は円形の穴を持ち、前述した管状部材のもう片方は一つのT字型打撃ブロックと連携し、前述した打撃ブロックの前部は前述した円形の穴を通過して、第一ネジ穴の内部にネジ連結で固定され、前述した打撃ブロックは第一ネジ穴と連携した場合、打撃ブロックの後部は管状部材と当たることを特徴とする金属ハンマー。